【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】 無線周波信号を発生させ、該無線周波信号を、構造物（１０）に存在する導体（１４）に送信する方法であって、前記構造体内に準静的非伝播性の電磁界（２０）を生成し、前記構造体内に置かれた受信機（２２）に前記無線周波信号を送るため該電磁界を用いることを特徴とする方法。
【請求項２】  前記無線周波信号が、短波帯域を用いて生成されることを特徴とする請求項１記載の方法。
【請求項３】  前記無線周波信号が、超短波帯域を用いて生成されることを特徴とする請求項１記載の方法。
【請求項４】  前記無線周波信号が、極超短波下方の周波数帯域を用いて生成されることを特徴とする請求項１記載の方法。
【請求項５】  前記無線周波信号は、前記構造物（１０）が、いかなる寸法においても１０波長未満の最大寸法を有するように波長によって特徴づけられる周波数帯域を用いて生成されることを特徴とする請求項１記載の方法。
【請求項６】  前記無線周波信号が、短波帯域において前記構造物外からの干渉を通常引き起こさない周波数帯域を用いて生成されることを特徴とする請求項１記載の方法。
【請求項７】  前記無線周波信号が、メタリック接続（１８）を用いて前記導体（１４）に直接的に送られることを特徴とする請求項１から６のうちいずれか１項記載の方法。
【請求項８】  前記無線周波信号が、伝導される無線周波数エネルギーを伴って前記導体を励起することにより、前記導体（１４）に送信されることを特徴とする請求項１から６のうちいずれか１項記載の方法。
【請求項９】  前記導体（１４）が、電線であることを特徴とする請求項１から８のうちいずれか１項記載の方法。
【請求項１０】  前記導体（１４）が、水道管であることを特徴とする請求項１から８のうちいずれか１項記載の方法。
【請求項１１】  前記導体（１４）が、構造部材である請求項１から８のうちいずれか１項記載の方法。
【請求項１２】  多重接続により短波、超短波、および極超短波下方の周波数帯域により同時使用を許容し、信号の分離を保証するために前記多重接続をろ波することを特徴とする請求項１から１１のうちいずれか１項記載の方法。
【請求項１３】  第１と第２の電力用プロングおよび第３の接地用プロングを有する電気プラグを電気ソケットに挿入することによって、前記受信機を取りつけ、
前記プラグの前記第３の接地用プロングを介して、前記導体（１４）に前記信号を送信することを特徴とする請求項１から１２のうちいずれか１項記載の方法。
【請求項１４】  ビルの構造物内の少なくとも１つ以上の導体（１４）を用いてビルの構造物（１０）内で使用する信号のシステムであって、
無線周波信号の発生器（１６、２２）と、少なくとも１つ以上の無線周波信号の受信機（２２、１６）とを備え、該発生器（１６、２２）は、前記導体にその信号を供給するように調整され、該導体は前記構造物内で、準静的非伝播性の電磁界を生起させるように該信号に応じて調整されるものであることを特徴とする信号システム。
【請求項１５】  配線を含む構造体をネットワークにつなぐことで用いられる通信システムであって、
信号を生成し、前記配線に接続した電気ソケットに信号発生器を接続する伝導体を介して、前記配線に前記信号を送るための信号発生器と、
前記信号発生器から離れた場所にある少なくとも一つの受信機と、
を含むことを特徴とする通信システム。
【請求項１６】  前記受信機が無線受信機であり、前記配線から生じた準静的非伝播波を介して前記信号を受信することを特徴とする請求項１５に記載の通信システム。
【請求項１７】  前記受信機が他のソケットに挿入され、前記信号が前記ソケットに接続する伝導性の配線を介して受信されることを特徴とする請求項１５記載の通信システム。
【請求項１８】  前記信号が３〜４００ＭＨｚの範囲内にあることを特徴とする請求項１５記載の通信システム。
【請求項１９】  信号を生成するための信号発生器と、
標準ソケット・プラグを介して配線に前記信号を伝達するための手段と、
配線から前記信号を受信する手段と、
前記信号発生器から離れた構造内の場所に配置することのできる受信手段と、
を含む配線を含むことを特徴とする通信システム。
【請求項２０】  前記受信手段は、無線受信機であることを特徴とする請求項１９記載の通信システム
【請求項２１】  前記受信手段は、標準ソケット・プラグを介して配線に接続された装置であることを特徴とする請求項１９記載の通信システム。
【請求項２２】  前記信号の周波数が、３ＭＨｚから３０ＭＨｚの範囲にあることを特徴とする請求項１９記載の通信システム。
【請求項２３】  前記信号の周波数が、３０ＭＨｚから４００ＭＨｚの範囲にあることを特徴とする請求項１９記載の通信システム。
【請求項２４】  前記受信手段は、コンピューター、携帯電話、携帯情報端末、有線および無線電話、テレビ、ラジオ、警報機、事務機器、照明機器および冷暖房装置を含むグループ内から選択された１又は２以上の手段であることを特徴とする請求項１９記載の通信システム。
【請求項２５】  信号を生成するための信号発生器を使用し、前記信号発生器及び配線に接続した電気ソケットと接続する伝導体を介して、前記配線に前記信号を伝達し、前記信号発生器から離れた位置で前記信号を受信することを特徴とする通信方法。
【請求項２６】  前記信号を受信するために、無線受信機を使用することを特徴とする請求項２５記載の通信方法。
【請求項２７】  前記信号を受信するために、前記配線に接続された他の電気ソケットに挿入された装置を使用することを特徴とする請求項２５記載の通信方法。
【請求項２８】  前記信号が３ＭＨｚから３０ＭＨｚの範囲内にあることを特徴とする請求項２５記載の通信方法。
【請求項２９】  前記信号が３０ＭＨｚから４００ＭＨｚの範囲内にあることを特徴とする請求項２５記載の通信方法。
【請求項３０】  前記伝導体が、前記電気ソケットに挿入された電源プラグを組込んでいることを特徴とする請求項２５記載の通信方法。
【請求項３１】  直接有線接続を用いて、前記信号が前記配線に伝達されることを特徴とする請求項２５記載の通信方法。
【請求項３２】  信号を生成し、配置された配線にそれを供給するための信号発生器と、
前記信号を受信するために前記配線に関連して配置された受信機手段と、
を含む標準の配線を用いたことを特徴とする通信システム。
【請求項３３】  前記受信機手段が、前記配線の近くに配置された無線受信機であることを特徴とする請求項３２記載の通信システム。
【請求項３４】  前記受信機手段が、配置された前記配線に挿入された装置であることを特徴とする請求項３２記載の通信システム。
【請求項３５】  前記信号の周波数が高周波バンドであることを特徴とする請求項３２記載の通信システム。
【請求項３６】  前記無線周波数が超短波バンドにあることを特徴とする請求項３２記載の通信システム。
【請求項３７】  配線を含む構造体をネットワークにつなぐことで用いられる通信システムに用いる信号発生器であって、
前記通信システムは、前記信号発生器から離れた場所にある少なくとも一つの受信機を含んでおり、
前記信号発生器は、信号を生成し、前記配線に接続した電気ソケットに前記信号発生器を接続する伝導体を介して、前記配線に前記信号を送ることを特徴とする信号発生器。
【請求項３８】  前記受信機が無線であり、前記配線から生じた準静的非伝播波を介して前記信号を受信することを特徴とする請求項３７記載の信号発生器。
【請求項３９】  前記受信機が他のソケットに挿入され、前記信号が前記ソケットに接続する伝導性の配線を介して受信されることを特徴とする請求項３７記載の信号発生器。
【請求項４０】  前記信号が３〜４００ＭＨｚの範囲内にあることを特徴とする請求項３７記載の信号発生器。
【請求項４１】  前記受信機は、コンピューター、携帯電話、携帯情報端末、有線および無線電話、テレビ、ラジオ、警報機、事務機器、照明機器および冷暖房装置を含むグループ内から選択された１又は２以上の受信機であることを特徴とする請求項３７記載の信号発生器。